(57)【特許請求の範囲】
【請求項１】
次の（１）から（４）の工程を繰返すことを特徴とする連続地中壁の鉛直打継ぎ方法。
（１）先行パネルとなる地盤の掘削後、パネルの打継ぎ位置となる溝端部に、溝内側に向けて突出する凸部を鉛直方向に設けた仕切パネルを配置する。
（２）溝内に鉄筋籠を建て込んだ後、コンクリートを打設して先行パネルを構築する。
（３）コンクリートの固化前に前記仕切パネルを引抜いて前記凸部形状に応じた形状のキー溝を先行パネルの打継ぎ端部に形成する。
（４）後行パネルを構成する地盤掘削時において露出する前記キー溝を掘削機のカッターによりカッティングしつつ掘削し、前記（２）と同様の工程により先行パネルに後行パネルを打継ぐ。
【請求項２】
先行パネルとなる地盤の掘削後、パネルの打継位置となる溝端部に配置される請求項１に記載された方法に用いられる仕切パネルであって、溝底部に至る長さを有する細長状のパネル本体部と、該パネル本体部の一面の幅方向中央に略半円形断面をした鋼管からなる凸部を長手通し状に一体化したことを特徴とする仕切パネル。
【発明の詳細な説明】
【０００１】
【発明の属する技術分野】
本発明は、隣合う先行パネルと後行パネル間を鉛直なキーとキー溝結合により打継ぐようにした連続地中壁の鉛直打継ぎ方法に関する。
【０００２】
【従来の技術】
連続地中壁における先行パネルと後行パネルの打継ぎ端部同士を鉛直なキーとキー溝同士の接合とするために、従来では、例えば特開平８−２１８３７９号公報に示すように、ハイドロフレーズ掘削機の側面に溝掘削用の補助カッタードラムを設けておき、先行パネルの構築後、後行パネルを構成する溝部掘削時において、補助カッタードラムを側面に突出させて先行パネル端部にキー溝を連続形成するようにしている。
【０００３】
【発明が解決しようとする課題】
しかしながら、この溝カッティング方法では、固化したコンクリートの端面に溝を形成する作業であるため、コンクリートのカッティング量が多く、掘削トルクが極めて大きいため、装置に大きな負担がかかり、作業に多大な手間および時間を要し、補助カッタードラムの損耗率も大きい。
【０００４】
また、カッティング溝の断面は、カッタードラムの断面形状に応じて半円断面となるはずであるが、実際にはコンクリートに形成される溝端面と溝中央部とでは切削厚みが異なり、厚さの薄くなる溝端面はカッタードラムの回転による衝撃によって、不規則な断面となり、これが先行パネルの厚み方向全体にわたる場合もある。
【０００５】
このため、後行パネルを打継いだ場合の打継ぎ精度を十分に確保することができず、打継ぎ部の強度や止水性に問題を生ずる懸念もあった。
【０００６】
本発明は、以上の問題を解決するものであり、その目的は、掘削機にキー溝掘削時における余分な負荷をかけることなく、また精度よくキー溝を鉛直方向に形成できるようにした連続地中壁の鉛直打継ぎ方法を提供するものである。
【０００７】
【課題を解決するための手段】
以上の目的を達成するため、本発明のうち請求項１に記載された方法発明は、次の（１）から（４）の工程を繰返すことを特徴とするものである。
【０００８】
（１）先行パネルとなる地盤の掘削後、パネルの打継ぎ位置となる溝端部に、溝内側に向けて突出する凸部を鉛直方向に設けた仕切パネルを配置する。
【０００９】
（２）溝内に鉄筋籠を建て込んだ後、コンクリートを打設して先行パネルを構築する。
【００１０】
（３）コンクリートの固化前に前記仕切パネルを引抜いて前記凸部形状に応じた形状のキー溝を先行パネルの打継ぎ端部に形成する。
【００１１】
（４）後行パネルを構成する地盤掘削時において露出する前記キー溝を掘削機のカッターによりカッティングしつつ掘削し、前記（２）と同様の工程により先行パネルに後行パネルを打継ぐ。
【００１２】
したがって、以上の方法発明にあっては、先行パネル構築時に仕切パネルに設けた凸部による型形状に沿ってキー溝のあらましが形成される。掘削機によるカッティングは、後行パネルとの打継ぎを一体化する。
【００１３】
また、本発明のうち請求項２に記載された発明は、先行パネルとなる地盤の掘削後、パネルの打継位置となる溝端部に配置される請求項１に記載された方法に用いられる仕切パネルであって、溝底部に至る長さを有する細長状のパネル本体部と、該パネル本体部の一面の幅方向中央に略半円形断面をした鋼管からなる凸部を長手通し状に一体化したことを特徴とするものである。この発明によれば、簡単な構成でありながら、キー溝を精度よく形成することができる。
【００１４】
【発明の実施の形態】
以下、本発明の好ましい実施の形態につき、添付図面を参照して詳細に説明する。
【００１５】
図１ないし図６は本発明方法の施工手順を示すものである。先ず図１においては、掘削機により地盤Ｅ中に泥水を満たしながら基礎地盤Ｅ１にまで到達する先行パネル用の先行掘削溝１が形成される。この先行掘削溝１は長さ５〜７ｍ、幅９００ｍｍの通常の掘削溝である。
【００１６】
次に、図２に示すように、掘削溝１の溝端部に向い合うようにして仕切りパネル２を建て込む。この仕切パネル２は、図７，８に示すように溝底部に至る長さの細長状のパネル本体部３の一面の幅方向中央に略半円形断面をした鋼管からなる凸部４を長手通し状に溶接によって一体化したものであり、これによって掘削溝１の両端は仕切られる。
【００１７】
次いで、図３に示すように、掘削溝１内に鉄筋籠５を建て込み、その後、図４に示すように、トレミー管６によりコンクリートＣを打設して、溝内泥水と置換する作業を溝天端に至るまで行うことにより先行パネル７が完成する。
【００１８】
コンクリート打設完了後、図５に示すように、コンクリートＣがある程度固化しているが、完全に固化していない時期に前記仕切パネル２を引抜く。この作業手順を図９に示す。
【００１９】
引抜きにはケーシングプラー８が用いられる。このケーシングプラー８は掘削溝位置決め用のガイドトレンチ９上にまたがって配置される装置であり、パネル本体部３の両側を挟む一対のチャック１０と、チャック１０の上部に配置された油圧ジャッキ１１および図示しないポンプユニット、引抜きガイドなどからなるもので、油圧ジャッキ１１は仕切パネル１から縁切りされて装置上に固定配置されている。
【００２０】
そして、（ａ）に示すチャック位置で油圧ジャッキ１１を引上げれば、（ｂ）に示すように、仕切パネル２はコンクリートから縁切りされ、ジャッキストローク分上昇する。その後（ｃ）に示すように、チャック１０を外してジャッキ１１を元に戻す作業を繰返すことにより、仕切パネル２は順次上昇しつつ引抜かれ、これによって、先行パネル７の両側打継ぎ端面に前記凸部４の断面形状に応じた半円弧状のキー溝７ａが鉛直方向に形成される。
【００２１】
その後、図６に示すように、先行パネル７に隣接して後行パネルを構成する後行掘削溝１２が掘削される。この掘削に用いられるハイドロフレーズ掘削機１４のカッタードラム１５，１６のうち、打継ぎ側カッタードラム１５の形状を前記キー溝７ａの形状に応じた形状とすることで、キー溝７ａはカッティングされる。図１０（ａ）は、そのカッティング状態の詳細を示すもので、キー溝７ａの表面がカッティングされるだけなので、カッティングトルクが小さく、かつ各部に均一のトルクで掘削できる。これによって掘削機１４に過度な負荷が加わることなく、また、キー溝７ａの形状を精度よく保つことができる。
【００２２】
その後、後行掘削溝１２に前記と同様に鉄筋籠の建て込みとコンクリート打設により後行パネルが打継がれる。
【００２３】
図１１は、その打継ぎ断面を示すもので、後行パネル１７の打継ぎ端部にはコンクリートＣの回り込みによるキー１７ａが形成され、キー溝７ａに凹凸状に精度よく一体に打継がれることになる。
【００２４】
【発明の効果】
以上の説明により明らかなように、請求項１に記載の発明による連続地中壁の鉛直打継ぎ方法によれば、先行パネル構築時に仕切パネルに設けた凸部による型形状に沿ってキー溝のあらましが形成されるため、その形状に応じて予め精度よくキー溝を形成できる。掘削機によるカッティングは、後行パネルとの打継を一体化し、打継ぎ精度の低下や、これに伴う止水性低下などの不具合を一掃することができる。
【００２５】
請求項２に記載の発明による仕切パネルによれば、簡単な構成でありながら、容易に、キー溝を精度よく形成することができる。
【図面の簡単な説明】
【図１】（ａ）は本発明方法の第一工程を示す断面図である。
（ｂ）は同平面図である。
【図２】（ａ）は同第二工程を示す断面図である。
（ｂ）は同平面図である。
【図３】（ａ）は同第三工程を示す断面図である。
（ｂ）は同平面図である。
【図４】（ａ）は同第四工程を示す断面図である。
（ｂ）は同平面図である。
【図５】（ａ）は同第五工程を示す断面図である。
（ｂ）は同平面図である。
【図６】（ａ）は同第六工程を示す断面図である。
（ｂ）は同平面図である。
【図７】図２の第二工程におけるＡ部拡大図である。
【図８】同斜視図である。
【図９】（ａ），（ｂ），（ｃ）は図５の第五工程におけるＢ部における引抜き作業手順を示す説明図である。
【図１０】図６の第六工程におけるＣ部拡大図である。
【図１１】打継ぎ部の平断面図である。
【符号の説明】
１  先行掘削溝
２  仕切パネル
４  凸部
５  鉄筋籠
Ｃ  コンクリート
７  先行パネル
７ａ  キー溝
８  ケーシングプラー
１２  後行掘削溝
１４  ハイドロフレーズ掘削機
１５  カッタードラム
１７  後行パネル
１７ａ  キー
【図１】
0003796892.tif 000002
【図２】
0003796892.tif 000003
【図３】
0003796892.tif 000004
【図４】
0003796892.tif 000005
【図５】
0003796892.tif 000006
【図６】
0003796892.tif 000007
【図７】
0003796892.tif 000008
【図８】
0003796892.tif 000009
【図９】
0003796892.tif 000010
【図１０】
0003796892.tif 000011
【図１１】
0003796892.tif 000012